(57)【要約】【課題】    経済的に製造でき、簡単に持ち運びができ、種々の場所に安定して設置可能な簡易卓球訓練器を提供する。【解決手段】保持台１０、揺動部材２０、入れ子式管３０、保持座４０から成り、保持座４０は、基部１１と収納ケース１２から構成されており、基部１１の上部には可動のマットレス要素１３を収納するための収容凹部１２１が形成されており、入れ子式管３０の下端部にネジ結合された揺動部材２０は、マットレス要素の適切な場所に接続され、入れ子式管の上端部は、ボール要素４３をそこに収納するための保持凹部４２が限定された保持座と相互係合する構成とし、基部を介して、簡易卓球訓練器の保持台が、様々の場所で適切な高さの台の上に安定的に設置でき、使用者の背丈や所望のストロークポジションに応じて前記入れ子式管を適切な高さに調節できると共に、保持座の保持凹部に収納されているボール要素で希望のストローク練習をできるようにした。【選択図】    図２
0003113707.tif 000002
【実用新案登録請求の範囲】
【請求項１】
簡易卓球訓練器であって、
前記簡易卓球訓練器は、保持台、揺動部材、入れ子式管、保持座から成り、
前記保持台は、基部と収納ケースから構成されており、前記基部の上部には可動のマットレス要素を収納するための収容凹部が形成されており、前記入れ子式管の下端部にネジ結合された前記揺動部材は、前記マットレス要素の適切な場所に前後の揺動運動を可能に接続され、前記入れ子式管の上端部は、ボール要素を収納するための保持凹部が形成された保持座と相互係合してなり、
前記保持台は、前記基部を様々の場所で適切な高さのテーブル或いは台の上に安定的に設置することができ、かつ使用者の背丈や所望のストロークポジションに応じて、前記入れ子式管を適切な高さに調節できると共に、前記保持座の保持凹部に収納されているボール要素で希望のストローク練習をすることができ、更に、前記揺動部材の前後の揺動運動によって、使用者は練習用のボールとしてたった１個のボール要素を使用するだけでよく、また更に、フットワークを加えることで、フォアハンド・ストローク、フォアハンド・トップスピン、バックハンド・ストローク、バックハンド・トップスピンのような、絶え間ない激しいドライブショットの練習ができるようにしたことで、短期間に使用者のストローク技術を効果的に高めることができると共に、経済的な効果を伴って便利で柔軟に利用できるようにしたことを特徴とする簡易卓球訓練器。
【請求項２】
前記保持台の基部には、その一側に複数個の組み立て用孔が所定位置に等間隔に配置されており、前記マットレス要素には、所定位置に配置された貫通孔と、前記基部の組立て用孔と相互に組み合わされるように複数の固定用孔とが配設されており、これにより前記マットレス要素はネジ部品により基部にしっかりと固着され、前記収納ケースは、所定位置に配設された係止用貫通孔と、その一側面側の底面に形成された案内空間と、その上方周面縁部に外方に突出した接続フランジ部があり、その下に収容空間を限定し、収納ケースの両側部それぞれに対称的に隣接接触支持部が延出していることを特徴とする請求項１に記載の簡易卓球訓練器。
【請求項３】
前記揺動部材にはその中央を貫通しているネジ孔が形成されており、雄ネジが形成された係止部品と複数個のワッシャーにとより相互に組み合わせるができるようにしたことを特徴とする請求項１に記載の簡易卓球訓練器。
【請求項４】
前記入れ子式管は、固定ロッド、調節ロッド、固定用要素、係止要素、スリーブ管から構成されており、
前記固定ロッドは、前記調節ロッドをその中に収容するために中心部に円筒形溝部が伸長して形成されており、雄ネジ部が形成され且つそこに複数個のワッシャーから成るワッシャーユニットが取り付けられる係合部が底端部に突出しており、前記円筒形溝と連通した上方端部の一側の外周面の適所に雌ネジ付き貫通孔が配置されており、前記雌ネジ付き貫通孔にワッシャーが取り付けられ、前記固定要素の雄ネジ部分と相互嵌合され、
前記調節ロッドは、連結孔が形成された連結端部がその上方部に突出しており、前記連結孔と連通している側の外周面にネジ付きの貫通孔が適所に配設されていて、前記ネジ付き貫通孔にワッシャー部品が適用され係止要素の雄ネジ端部と相互係合され、その下方部分の外周面の適所に凹溝部が形成されていて、上方及び下方端部のそれぞれに制限側面が形成されており、
前記スリーブ管は、境界面が形成されるように、旋回孔がその中心に配設され、そこにＯリングが配設されるようになっていることを特徴とする請求項１に記載の簡易卓球訓練器。
【請求項５】
前記保持座は、開口部を有し、それに連通して、ボール要素を収容するための保持凹部を有し、境界部分がその上方端部に環状に延在していて、その底部には係合端部が伸長して形成されており、これにより、調節ロッドの連結端部と相互に接続されるようになっていることを特徴とする請求項１に記載の簡易卓球訓練器。
【請求項６】
前記保持台の基部は、金属材料やプラスチック材料で一体成形され、環状ディスク形状に形成されることを特徴とする請求項１に記載の簡易卓球訓練器。
【請求項７】
前記保持台の収納ケースはプラスチック材料で成形されていることを特徴とする請求項１に記載の簡易卓球訓練器。
【請求項８】
前記保持台に収容されたマットレス要素はプラスチック材料やゴム材料で形成され、柔軟性を有していることを特徴とする請求項１に記載の簡易卓球訓練器。
【請求項９】
前記保持台の収納ケースは四角形に作られ、底表面が段付きに形成されていることを特徴とする請求項１に記載の簡易卓球訓練器。
【請求項１０】
前記収納ケースの位置決め貫通孔は円形の段付きに形成されることを特徴とする請求項２に記載の簡易卓球訓練器。
【請求項１１】
前記収納ケースは、位置決め貫通孔を有し係止部品と相互に組み合わされ、様々な形で完全に一致した形に作られることを特徴とする請求項２に記載の簡易卓球訓練器。
【請求項１２】
収納ケースの接続フランジはＵ字形に作られることを特徴とする請求項２に記載の簡易卓球訓練器。
【請求項１３】
収納ケースの接続フランジは係止部材に係合するように同一の形状に形成され、該係止部材と同形にして種々の形に一様に成形されることを特徴とする請求項２に記載の簡易卓球訓練器。
【請求項１４】
前記係止部材には連結溝部が形成されており、収納ケースの接続フランジと正確に組み合わされて係合するようになることを特徴とする請求項２に記載の簡易卓球訓練器。
【請求項１５】
前記収納ケースの収容空間には、押圧隣接部材が据え付けられるようになることを特徴とする請求項２に記載の簡易卓球訓練器。
【請求項１６】
前記揺動部材は半球形状に形成されることを特徴とする請求項３に記載の簡易卓球訓練器。
【請求項１７】
前記調節ロッドの凹溝部は細長い形に形成されることを特徴とする請求項４に記載の簡易卓球訓練器。
【請求項１８】
前記スリーブ管の旋回揺動孔は２段形状に形成されることを特徴とする請求項４に記載の簡易卓球訓練器。
【請求項１９】
前記係止部材には、斜めに傾斜した面が限定されていることを特徴とする請求項１４に記載の簡易卓球訓練器。
【考案の詳細な説明】
【技術分野】
【０００１】
本考案は、簡易卓球訓練器に関し、更に具体的に言うと、卓球を練習したい人が何時でも何処でもストロークの練習ができるようにした、簡単に持ち運び可能な簡易卓球訓練器に関するものである。
【背景技術】
【０００２】
従来、市場に出回っている卓球訓練器は、ロボットと卓球台とを組合せたものであって、この卓球訓練器を使って卓球の練習をする際には、ネットを張ったり、球をロボットに装填したり、といった様々な備品を最初に用意しなければならない。そして、ロボットに装填した球を打ち果たしてしまうと、今度は球を拾い集めてロボットに戻し入れてからでないと、次の回の練習ができない。これは練習をしているときの時間の無駄で、手間が掛り、煩わしいものである。
また、このような従来の卓球訓練器は値が相当に張る上に、容積も大きくて嵩張り、それ故に、練習する時間と場所を限定することとなり、練習者がしたいと思う時に何時でも何処でも充分な練習をできるようにする、ということができない。
従って、従来の卓球訓練器は使用するのがかなり不便で、卓球の練習をするという目的においては非常に不経済であると言える。
【考案の開示】
【考案が解決しようとする課題】
【０００３】
そこで案出されたのが本案の簡易卓球訓練器であって、本案の簡易卓球訓練器においては、保持台、揺動部材、入れ子式管、そして保持座から成り、これら部材は相互に係合されて卓球訓練器へと組み合わされて構成されており、簡単に持ち運びができ、卓球のストロークを練習したいと思ったような場所に安定して設置することができるので、非常に便利に使用することができるようにした簡易卓球訓練器を提供することをその主要な目的とする。
【０００４】
本考案の第２の目的は、揺動部材が前後に揺動する構成であるので、練習者は１個の球要素だけを使用して、絶え間なく卓球のストローク練習ができるため、苦労せずに時間の節約ができ、経済的効果をも達成することのできる簡易卓球訓練器を提供することである。
【０００５】
更に、本考案の第３の目的は、入れ子式管の調節可能な棒状部材が上下に自由に移動できる構成にしてあるので、練習者の背丈やボール要素の所望のストローク位置に合せて入れ子式管の高さを調節でき、応用性があり利便性のある仕様をもたらすようにした簡易卓球訓練器を提供することである。
【０００６】
更にまた、本考案の第４の目的は、入れ子式管のスリーブ管とＯ形リングの結合及び位置付け効果を介して、固定された棒状部材に収容された調節可能なロッドが安定的に上下に調節可能で、あちこちに揺れ動くといったような危険を正確に回避することができるため、これによって最高の使用状態を達成することのできる簡易卓球訓練器を提供することである。
【０００７】
更にまた、本考案の第５の目的は、本考案の簡易卓球訓練器は、所望の場所に同時に２個以上設置できるので、練習者はフットワークを組み合わせながら、球要素の本格的なめまぐるしい左右のストロークの打ち分け練習をすることができるようにした簡易卓球訓練器を提供することである。
【課題を解決するための手段】
【０００８】
本考案の請求項１に係る簡易卓球訓練器は、保持台、揺動部材、入れ子式管、保持座から成り、前記保持台は、基部と収納ケースから構成されており、前記基部の上部には可動のマットレス要素を収納するための収容凹部が形成されており、前記入れ子式管の下端部にネジ結合された前記揺動部材は、前記マットレス要素の適切な場所に前後の揺動運動可能に接続され、前記入れ子式管の上端部は、ボール要素をそこに収納するための保持凹部が限定された保持座と相互係合しており、このような構成により、前記基部を介して、前記簡易卓球訓練器の保持台が、様々の場所で適切な高さのテーブル或いは台の上に安定的に設置することができ、使用者の背丈や所望のストロークポジションに応じて、使用者は、前記入れ子式管を適切な高さに調節できると共に、保持座の保持凹部に収納されているボール要素で希望のストローク練習をすることができ、更に、前記揺動部材の前後の揺動運動によって、使用者は練習用のボールとしてたった１個のボール要素を使用するだけでよく、また更に、フットワークを加えることで、フォアハンド・ストローク、フォアハンド・トップスピン、バックハンド・ストローク、バックハンド・トップスピンのような、絶え間ない激しいドライブショットの練習ができるようにしたことで、短期間に使用者のストローク技術を効果的に高めることができると共に、経済的な効果を伴って便利で柔軟に利用できるようにしたことを特徴とする。
【０００９】
請求項２の考案は、請求項１に記載の簡易卓球訓練器において、前記保持台の基部には、その一側に複数個の組み立て用孔が所定位置に等間隔に配置されており、前記マットレス要素には、所定位置に配置された貫通孔と、前記基部の組立て用孔と相互に組み合わされるように複数の固定用孔とが配設されており、これにより前記マットレス要素はネジ部品により基部にしっかりと固着され、前記収納ケースは、所定位置に配設された係止用貫通孔と、その一側面側の底面に形成された案内空間と、その上方周面縁部に外方に突出した接続フランジ部があり、その下に収容空間を限定し、収納ケースの両側部それぞれに対称的に隣接接触支持部が延出していることを特徴とする。
請求項３の考案は、請求項１に記載の簡易卓球訓練器において、前記揺動部材にはその中央を貫通しているネジ孔が形成されており、雄ネジが形成された係止部品と複数個のワッシャーにとより相互に組み合わせるができるようにしたことを特徴とする。
【００１０】
請求項４の考案は、請求項１に記載の簡易卓球訓練器において、前記入れ子式管は、固定ロッド、調節ロッド、固定用要素、係止要素、スリーブ管から構成されており、前記固定ロッドは、前記調節ロッドをその中に収容するために中心部に円筒形溝部が伸長しており、雄ネジ部が限定され且つそこに複数個のワッシャーから成るワッシャーユニットが取り付けられる係合部が底端部に突出しており、前記円筒形溝と連通した上方端部の一側の外周面の適所に雌ネジ付き貫通孔が配置されており、前記雌ネジ付き貫通孔にワッシャーが取り付けられ、前記固定要素の雄ネジ部分と相互嵌合され、前記調節ロッドは、連結孔が形成された連結端部がその上方部に突出しており、前記連結孔と連通している側の外周面にネジ付きの貫通孔が適所に配設されていて、前記ネジ付き貫通孔にワッシャー部品が適用され係止要素の雄ネジ端部と相互係合され、その下方部分の外周面の適所に凹溝部が限定されていて、上方及び下方端部のそれぞれに制限側面が形成されており、前記スリーブ管は、境界面が形成されるように、旋回孔がその中心に配設され、そこにＯリングが配設されるようになっていることを特徴とする。
【００１１】
請求項５の考案は、請求項１に記載の簡易卓球訓練器において、前記保持座は、開口部を有し、それに連通して、ボール要素を収容するための保持凹部を有し、境界部分がその上方端部に環状に延在していて、その底部には係合端部が伸長しており、これにより、調節ロッドの連結端部と相互に接続されるようになっていることを特徴とする。
請求項６の考案は、請求項１に記載の簡易卓球訓練器において、前記保持台の基部は、金属材料やプラスチック材料で一体成形され、環状ディスク形状に形成されることを特徴とする。
【００１２】
請求項７の考案は、請求項１に記載の簡易卓球訓練器において、前記保持台の収納ケースはプラスチック材料で成形されていることを特徴とする。
請求項８の考案は、請求項１に記載の簡易卓球訓練器において、前記保持台に収容されたマットレス要素はプラスチック材料やゴム材料で形成され、柔軟性を有していることを特徴とする。
請求項９の考案は、請求項１に記載の簡易卓球訓練器において、前記保持台の収納ケースは四角形に作られ、底表面が段付きに形成されていることを特徴とする。
【００１３】
請求項１０の考案は、請求項２に記載の簡易卓球訓練器において、前記収納ケースの位置決め貫通孔は円形の段付きに形成されることを特徴とする。
請求項１１の考案は、請求項２に記載の簡易卓球訓練器において、前記収納ケースの位置決め貫通孔は、係止部品と相互に組み合わされ、様々な形で完全に一致した形に作られることを特徴とする。
請求項１２の考案は、請求項２に記載の簡易卓球訓練器において、収納ケースの接続フランジはＵ字形に作られることを特徴とする。
請求項１３の考案は、請求項２に記載の簡易卓球訓練器において、収納ケースの接続フランジは係止部材に係合するように同一の形状に形成され、該係止部材と同形にして種々の形に一様に成形されることを特徴とする。
請求項１４の考案は、請求項２に記載の簡易卓球訓練器において、前記係止部材には連結溝部が形成されており、収納ケースの接続フランジと正確に組み合わされて係合するようになることを特徴とする。
請求項１５の考案は、請求項２に記載の簡易卓球訓練器において、前記収納ケースの収容空間には、押圧隣接部材が据え付けられるようになることを特徴とする。
【００１４】
請求項１６の考案は、請求項３に記載の簡易卓球訓練器において、
前記揺動部材は半球形状に形成されることを特徴とする。
【００１５】
請求項１７の考案は、請求項４に記載の簡易卓球訓練器において、前記調節ロッドの凹溝部は細長い形に形成されることを特徴とする。
請求項１８の考案は、請求項４に記載の簡易卓球訓練器において、前記スリーブ管の旋回揺動孔は２段形状に形成されることを特徴とする。
【００１６】
請求項１９の考案は、請求項１４に記載の簡易卓球訓練器において、前記係止部材には、斜めに傾斜した面が限定されていることを特徴とする。
【考案の効果】
【００１７】
本考案の簡易卓球訓練器は、従来の大掛かりなロボット式の卓球訓練器と違い、簡便に持ち運びできるため、場所や時間に制約されず好きな時に好きな場所で卓球の練習を思う存分行なうことができるので、非常に利用性が高く、練習効果も上げられる。
また、本考案の揺動部材の動きにより、実際に卓球のボールを打ったのと同様な感触が得られ、普通のショットや、ドライブショット、同時に２台の卓球訓練器を使用した左右の打ち分けストロークなど、様々な変化をつけることができ、練習の多様性をもたらすことができる。
【００１８】
また、揺動部材のボール収容部に収容されたボール要素を打つが、ボール要素は実際には飛んでいかない構成にしてあるので、使用したボールの拾い集めなどの手間がかからず、一個のボール要素だけで充分な練習ができ、練習に専念できるという効果がある。
また、構成が簡単で複雑なセッティング準備も必要としないので、経済的で、確実に卓球の技術を向上させることのできる卓球訓練器を提供することができる。
【考案を実施するための最良の形態】
【００１９】
以下に、添付図面を参照しながら本考案の好適な実施の形態を詳細に説明するが、それらの具体的な構造は単に本考案の実施可能な実施例に過ぎず、本考案の実用新案登録請求の範囲を狭義的に定義するものでないことは言うまでもないことである。
【実施例】
【００２０】
図１は、本考案の簡易卓球訓練器の破断斜視図である。
図１において、１０は保持台、２０は揺動部材、３０は入れ子式管、４０は保持座である。
【００２１】
前記保持台１０は、環状の円盤形基部１１から構成されていて、その一側面の所定の位置に一体成形され等間隔に配置された複数個の組み立て用孔部が形成されている。この円盤形基部１１の上面には、プラスチック成形された収納ケース１２が固着されていて、収納ケース１２には収容凹部１２１が設けられていて、この収容凹部１２１に、プラスチック材又はゴム材で作られた柔軟なマットレス要素１３が収容されていて、該マットレス要素には予定位置に貫通孔が配置されている。
【００２２】
前記収納ケース１２は矩形状で、その底部表面は段差がついていて、予定位置に位置決め貫通孔１２２が形成されていて、これにより円盤形基部１１と相互連結されるようになっている。該位置決め貫通孔１２２は円形の段付き構造であるが、別の形態に形成することもできる。収納ケース１２には、更に、その一側方側底部表面に案内空間１２３が形成されており、その上方周縁部に接続フランジ１２４が外方に突出しており、係止部材１４の連結溝部１４１と相互係合するようになっている。  
接続フランジ１２４はＵ字形の形態（或いは別の形態でもいいが）をした係止部材１４と一致した同形状に作られていて、接続フランジ１２４の下側に、押圧隣接部材１５を収容するための収容空間１２５が配設されていて、支持部１２６，１２６が収容空間１２５の両側で対称に延出形成されている。
【００２３】
マットレス要素１３にはその一方側に、複数個の固着用孔１３２とねじ込み継手１３３が形成されていて、これにより円盤形基部１１の組立て用孔１１１と相互接続するようになる。
また、係止部材１４には斜めに傾斜のついた係止面１４２が形成されている。
【００２４】
揺動部材２０は半球形に形成され、その中心にはネジ孔２１が貫通しており、該ネジ孔２１に、外側にネジ山のついた係止部品２２と、複数個のワッシャー２３とが互いに組み合わされて構成されている。そして、係止部品２２は更に収納ケース１２の位置決め貫通孔１２２に嵌合される。
【００２５】
入れ子式管３０は、固定用ロッド３１、調節用ロッド３２、固定要素３３、係止要素３４、スリーブ管３５から構成されている。固定用ロッド３１は、円筒形溝３１１がその中心に貫通して延在しており、それに組み合せる調節用ロッド３２を収容するようになっており、その底端部には雄ネジ山部３１３を限定している係合部３１２が突出し、そこに複数のワッシャー３１４，３１４が組み込まれるようになっている。そして、固定用ロッド３１の上方端部には、雌ネジ山のついた貫通孔３１５が配置されていて、雄ネジ部３３１にワッシャー３１６を介在させて嵌合させ相互にぴたりと合せて、円筒形溝３３１と連通させる。
【００２６】
調節用ロッド３２は、その上方端部に連結用孔３２２の形成された連結端部３２１が突出しており、その外周面に雌ネジのついた貫通孔３２３が配設され、ワッシャー３２４をかませて係止要素３４の末端の雄ネジ部分と相互に嵌合させる。更に、調節ロッド３２には、その下方部の外周面の所定位置に細長い凹溝３２５が限定されており、上方及び下方それぞれの末端部に制限部３２６を形成する。
【００２７】
スリーブ管３５には、その中央に２段式の旋回孔３５１が形成されていて、その中に境界面３５２を形成し、そこにＯリング３５３が設置されるようになっている。
【００２８】
保持座４０は、開口部４１と、該開口部４１と連通した、ボール要素４３を収容するための保持凹部４２と、その上方端部へ環状に延在する境界部４４と、底部から伸長する係合端部４５から構成され、前記調節ロッド３２の連結端部３２１と相互に結合されるようになっている。
【００２９】
図２〜図３を参照しながら、組立て方法について説明する。
マットレス要素１３を収納ケース１２の収容凹部１２１に設置すると、片側が案内空間１２３へ導かれ、そこから外側へ出る。そして、マットレス要素１３に形成されている固着用孔１３２が円盤形基部１１の組立て用孔１１１と正確にぴったりと合わされる。
その後、揺動部材２０を保持台１０に収納されたマットレス要素１３上に設置し、そして、そのネジ孔２１をマットレス要素１３の貫通孔１３１と整合させる。収納ケース１２の位置決め貫通孔１２２から導かれた係止部品２２の雄ネジ２２１に複数個のワッシャー２３が連続に設置され、マットレス要素１３の貫通孔１３１を通して螺着され、揺動部材２０のネジ孔２１の下方部へしっかりと固定する。
【００３０】
押圧隣接部材１５が収納ケース１２の一側面から挿入されて、収容空間１２５に位置付けられ、マットレス要素１３の上方面に対して押圧して隣接するようになる。その後、ネジ１３３を基部１１の組立て用孔１１１に通し、前記押圧隣接部材１５に係止されるまで、ねじ回す。
【００３１】
固定ロッド３１の係合部３１２には雄ネジ３１３が形成されていて、揺動部材２０のネジ孔２１の上方部に係合される。接続フランジ１２４が係止部材１４の連結溝１４１に対応して組み合わされ、接続フランジ１２４の末端部が係止部材１４の連結溝１４１の端末部に配設された内側壁に対し正確に隣接するようにする。
【００３２】
それから、スリーブ管３５のＯリング３５３を旋回孔３５１に収納すると、境界面３５２によって適所に限定づけられる。スリーブ管３５の位置決め孔３５１が固定ロッド３１へと案内されてそこに据え付けられると、固定ロッド３１の上方端部面を限定する外周面がＯリングの片面にぴったりと係合するように隣接する。
こうしてから、調節用ロッド３２をその底端部からスリーブ管３５の位置決め孔３５１、そして、固定ロッド３１の円筒形溝３１１へと連続して挿入すると、調節ロッド３２が円筒形溝３１１の中で適切な位置に収容されるようになる。
【００３３】
次に、固定ロッド３１のワッシャー３１６を通してから固定用要素３３を挿入すると、固定用要素の雄ネジ部３３１が固定ロッド３１の雌ネジ貫通孔３１５と相互嵌合され、調節用ロッド３２の凹溝３２５の内壁に押し付けて隣接し、確実に位置決めするようにする。
それから、保持座４０の係合端部４５が調節ロッド３２の上方部で突出している連結端部の連結孔３２２に据え付けられ、係止要素３４の雄ネジ端部３４１を調節ロッド３２のワッシャー３２４を介在させて挿入し、保持座４０の係合端部４５の適切な位置にきつくしっかりと隣接するまで、雌ネジ貫通孔３２３にねじを締め付けて相互に嵌合する。
そして、ボール要素を保持座４０の開口部４１を通して保持凹部４２に収容すると、保持座４０の上方に延在する境界部４４が保持凹部４２に収容されたボール部材４３の所在場所を適切に制限するので、ボール要素４３が保持凹部から外部に落下することがない、これにより、本考案の簡易卓球訓練器の組み立てが完了する。
【００３４】
さて、今度は、本考案の簡易卓球訓練器の使用方法を説明する。
卓球の練習や訓練をするために、まず、保持台１０を、基部１１を介して、適切な場所で適切な高さのテーブルや卓球台に安定して設置する。
【００３５】
図２に示すように、練習者の体格やボール要素４３の所望のストローク位置に応じて、入れ子式管３０は高さを適切に調節できるようになっている。適切な長さにするために、固定要素３３の雄ネジ部３３１を緩めると、調節ロッド３２が固定ロッド３１の円筒形溝３１１の中で自由に上下するようになるので、所望の適切へ調節し、調節した位置で、再度、固定要素３３のネジを締め付ける。固定要素３３の雄ネジ部３３１は、上方及び下方の制限部３２６，３２６を介して、細長い凹溝３２５内に位置するように抑制される。
【００３６】
このようにセッティングして、練習者は、保持座４０の保持凹部４２に収容されたボール要素４３でストロークの練習を始められるようになる。また、フットワークを付けて練習する場合には、練習者は、図４に示すように、中央からフォアハンドやバックハンドのボール要素４３のめまぐるしいストロークを練習することができ、図５に示すように、左からのフォアハンドおよびバックハンドのストローク、図６に示すように、右からのフォアハンドおよびバックハンドのストロークの練習をすることができる。
【００３７】
揺動部材２０と入れ子式管３０と保持座４０とが、ストロークの作用を受けて、共に一方側に揺動すると、保持台１０のマットレス要素１３がそれに伴って持ち上がると、係止部材１４の係止表面１４２が緩衝効果をもたらし、その位置付けを制限し、衝撃のショックを吸収するので、揺動部材２０は元の場所に即座に戻ることができる。
【００３８】
さらには、攻撃的ドライブ・ショットを練習する場合、保持座４０に収容されたボール要素４３は、図３に示すように、保持凹部４２の中でスピンする。
入れ子式管３０のスリーブ管３５およびＯリング３５３の拘束並びに位置付け効力を介して、固定ロッド３１に収容された調節ロッド３２は、前後に振動したりするような危険がなく上下に安定的に調節することができ、これにより最高の使用状態を達成することができる。
【００３９】
従って、練習者の必要性に応じて、本考案の簡易卓球訓練器は簡単に持ち運びでき、時間や場所に制限されないで都合よく卓球の訓練や練習をすることができる。
その上、使用するボール要素４３はたった１個ですみ、経済的であると共に、繰返し使用することができるばかりでなく、本考案の簡易卓球訓練器を都合よく柔軟性をもって適用すれば、練習者が短時間の間に卓球のストローク技術を効果的に高めるのを容易にするものである。
【００４０】
前記に開示した構造は、単に本考案の実施可能な実施例を具体的に詳細に説明したものであり、本考案の実施形態に示す構成に限らず、本考案の実用新案登録請求の範囲の各請求項に記載した技術的範囲を逸脱しない範囲において、種々に変更し変形できることは言うまでもない。
【図面の簡単な説明】
【００４１】
【図１】本考案の簡易卓球訓練器の第一実施例を示す分解斜視図。
【図２】本考案の簡易卓球訓練器を組立ててその高さを調節した状態の斜視図。
【図３】本考案の簡易卓球訓練器の断面図。
【図４】本考案の簡易卓球訓練器の使用状態を示す説明図。
【図５】本考案の簡易卓球訓練器の別の使用状態を示す第２説明図。
【図６】本考案の簡易卓球訓練器の更に別の使用状態を示す第３説明図。
【符号の説明】
【００４２】
１０      保持台
１１      環状の円盤形基部
１２      収納ケース
１２１    収容凹部
１２４    接続フランジ
１３      マットレス要素
１４      係止部材
１４２    係止面
２０      揺動部材
２１      ネジ孔
２２      係止部品
２３      複数個のワッシャー
３０      入れ子式管
３１      固定用ロッド
３１１    円筒形溝
３１２    係合部
３２      調節用ロッド
３２１    連結端部
３２５    細長い凹溝
３２６    制限部
３３      固定要素
３４      係止要素
３５      スリーブ管
３５１    ２段式の旋回孔
３５３    Ｏリング
４０      保持座
４１      保持座の開口部
４２      ボール要素を収容するための保持凹部
４３      ボール要素
４４      保持座境界部
【図１】
0003113707.tif 000003
【図２】
0003113707.tif 000004
【図３】
0003113707.tif 000005
【図４】
0003113707.tif 000006
【図５】
0003113707.tif 000007
【図６】
0003113707.tif 000008